(57)【特許請求の範囲】
【請求項１】
画像データに変換して記録媒体に記録する電子カメラにおいて、
印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択する印刷モード選択手段と、
前記記録媒体に記録されている前記画像データの中から、前記印刷装置に出力する所望の画像データを選択する画像選択手段と、
前記画像選択手段によって選択された画像データが複数ある場合であって、前記第１の印刷モードが選択されているとき、前記印刷装置を設定するための設定情報を参照して複数の画像データの各々を拡大または縮小して配置し、前記第２の印刷モードが選択されているとき、複数の画像データを重畳して配置する配置調整手段と、
前記配置調整手段により配置された複数の画像データを、前記印刷装置に出力する出力手段と
を備えることを特徴とする電子カメラ。
【請求項２】
前記配置調整手段は、前記画像選択手段によって選択された画像データが１枚である場合であって、前記第１の印刷モードが選択されているとき、１枚の記録用紙に１つの画像データが印刷されるように画像データを配置する
ことを特徴とする請求項１に記載の電子カメラ。
【請求項３】
前記設定情報が入力される入力手段と、
被写体像を撮像する撮像手段と、
前記撮像手段が撮像した画像データを記録する記録手段と
をさらに備えることを特徴とする請求項１に記載の電子カメラ。
【請求項４】
前記設定情報は、前記印刷装置で使用されている記録用紙のサイズと印刷方向である
ことを特徴とする請求項３に記載の電子カメラ。
【請求項５】
前記複数の画像データは連写された画像データである
ことを特徴とする請求項１乃至４の何れかに記載の電子カメラ。
【請求項６】
前記画像選択手段により選択された複数の画像データを表示装置に分割表示する分割表示手段と、
前記分割表示手段により前記表示装置に分割表示されている複数の画像データの中から、所望の画像データを指定する指定手段とを更に備え、
前記出力手段は、前記指定手段により指定された画像データを前記印刷装置に出力する
ことを特徴とする請求項１乃至５の何れかに記載の電子カメラ。
【請求項７】
印刷モード選択手段と、画像選択手段と、配置調整手段と、出力手段とを備え、画像データを記録媒体に記録する電子カメラの制御方法において、
前記印刷モード選択手段は、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択し、
前記画像選択手段は、前記記録媒体に記録されている前記画像データの中から、前記印刷装置に出力する所望の画像データを選択し、
前記配置調整手段は、選択された画像データが複数である場合であって、前記第１の印刷モードが選択されているとき、前記印刷装置を設定するための設定情報を参照して複数の画像データの各々を拡大または縮小して配置し、前記第２の印刷モードが選択されているとき、複数の画像データを重畳して配置し、
前記出力手段は、配置された複数の画像データを、前記印刷装置に出力する
ことを特徴とする電子カメラの制御方法。
【請求項８】
印刷モード選択手段と、画像選択手段と、配置調整手段と、出力手段とを備え、画像データを記録媒体に記録する電子カメラにおいて使用される制御プログラムを記録した記録媒体において、
前記印刷モード選択手段は、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択し、
前記画像選択手段は、前記記録媒体に記録されている前記画像データの中から、前記印刷装置に出力する所望の画像データを選択し、
前記配置調整手段は、選択された画像データが複数である場合であって、前記第１の印刷モードが選択されているとき、前記印刷装置を設定するための設定情報を参照して複数の画像データの各々を拡大または縮小して配置し、前記第２の印刷モードが選択されているとき、複数の画像データを重畳して配置し、
前記出力手段は、配置された複数の画像データを、前記印刷装置に出力する制御プログラムを記録した記録媒体。
【発明の詳細な説明】
【０００１】
【発明の属する技術分野】
本発明は、電子カメラ、電子カメラの制御方法、および、記録媒体に関し、特に、被写体の光画像を対応する画像データに変換して記録媒体に記録する電子カメラ、電子カメラの制御方法、および、記録媒体に関する。
【０００２】
【従来の技術】
電子カメラにおいて、撮影された複数の画像をプリンタにより印刷する場合、これら複数の画像を１枚の記録用紙に印刷しようとすると、従来の電子カメラでは、４分割、９分割、または、１６分割などの分割数に応じて、画像が記録紙上に配置されて印刷されていた。
【０００３】
【発明が解決しようとする課題】
ところで、従来の電子カメラにおいては、可能な分割数が予め決められていたので、任意の数の画像を記録用紙１枚に印刷することができないという課題があった。
【０００４】
本発明は以上のような状況に鑑みてなされたものであり、印刷しようとする画像の枚数と記録用紙のサイズなどに応じて各画像のサイズを自動的に調節して印刷することを可能とするものである。
【０００５】
【課題を解決するための手段】
請求項１に記載の電子カメラは、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択する印刷モード選択手段と、記録媒体に記録されている画像データの中から、印刷装置に出力する所望の画像データを選択する画像選択手段と、画像選択手段によって選択された画像データが複数ある場合であって、第１の印刷モードが選択されているとき、印刷装置を設定するための設定情報を参照して複数の画像データの各々を拡大または縮小して配置し、第２の印刷モードが選択されているとき、複数の画像データを重畳して配置する配置調整手段と、配置調整手段により配置された複数の画像データを、印刷装置に出力する出力手段とを備えることを特徴とする。
【０００６】
請求項７に記載の電子カメラの制御方法は、印刷モード選択手段は、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択し、画像選択手段は、記録媒体に記録されている画像データの中から、印刷装置に出力する所望の画像データを選択し、配置調整手段は、選択された画像データが複数である場合であって、第１の印刷モードが選択されているとき、印刷装置を設定するための設定情報を参照して複数の画像データの各々を拡大または縮小して配置し、第２の印刷モードが選択されているとき、複数の画像データを重畳して配置し、出力手段は、配置された複数の画像データを、印刷装置に出力することを特徴とする。
【０００７】
請求項８に記載の記録媒体は、印刷モード選択手段は、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択し、画像選択手段は、記録媒体に記録されている画像データの中から、印刷装置に出力する所望の画像データを選択し、配置調整手段は、選択された画像データが複数である場合であって、第１の印刷モードが選択されているとき、印刷装置を設定するための設定情報を参照して複数の画像データの各々を拡大または縮小して配置し、第２の印刷モードが選択されているとき、複数の画像データを重畳して配置し、出力手段は、配置された複数の画像データを、印刷装置に出力する制御プログラムを記録していることを特徴とする。
【０００８】
【発明の実施の形態】
以下、本発明の実施例を図面を参照して説明する。
【０００９】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３（撮像手段）、及び被写体を照明する光を発光する発光部（ストロボ）４が設けられている。
【００１０】
さらに、面Ｘ１には、ストロボ４を発光させて撮影を行うときに、ストロボ４を発光させる前に発光させて赤目を軽減する赤目軽減ランプ１５、ＣＣＤ２０（図４）の動作を停止させているときに測光を行う測光素子１６、および、ＣＣＤ２０の動作を停止させているときに測色を行う測色素子１７が設けられている。
【００１１】
一方、面Ｘ１に対向する面Ｘ２の上端部（面Ｘ１のファインダ２、操作レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａ（選択手段、入力手段、指定手段）が配置されている。
【００１２】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１３】
操作キー７は、ＬＣＤ６に記録データを再生表示する場合などに操作されるキーであり、ユーザによる操作（入力）を検知し、ＣＰＵ３９（図６：配置調整手段、変更手段、分割表示手段）に供給するようになされている。
【００１４】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００１５】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００１６】
面Ｘ２には、ＬＣＤ６を使用していないときに保護する、しゅう動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００１７】
この電子カメラ１の上面である面Ｚには、音声を集音するマイクロホン８、及び図示せぬイヤホンが接続されるイヤホンジャック９が設けられている。
【００１８】
左側面（面Ｙ１）には、被写体を撮像するときに操作されるレリーズスイッチ１０、撮影時の連写モードを切り換えるときに操作される連写モード切り換えスイッチ１３、および、外部のプリンタに接続するためのプリンタ接続端子１８が設けられている。このレリーズスイッチ１０、連写モード切り換えスイッチ１３、および、プリンタ接続端子１８は、面Ｘ１の上端部に設けられているファインダ２、撮影レンズ３及び発光部４よりも鉛直下側に配置されている。
【００１９】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２０】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２１】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２２】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２３】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２４】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００２５】
ファインダ内表示素子２６は、ファインダ２の視野内に配置され、ファインダ２を介して被写体を視ているユーザに対して、各種機能の設定状態などを表示するようになされている。
【００２６】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００２７】
回路基板２３には、この電子カメラ１の各部を制御する、種々の制御回路が形成されている。また、回路基板２３と、ＬＣＤ６及びバッテリ２１の間には、挿抜可能なメモリカード２４（記録手段）が設けられており、この電子カメラ１に入力される各種の情報が、それぞれ、メモリカード２４の予め設定されている領域に記録される。
【００２８】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００２９】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３０】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３１】
次に、本実施例の電子カメラ１の内部の電気的構成を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００３２】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／デジタル変換回路（以下、Ａ／Ｄ変換回路という）３２は、画像処理部３１でサンプリングした画像信号をデジタル化してＤＳＰ３３に供給するようになされている。
【００３３】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００３４】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００３５】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００３６】
この他、ＤＳＰ３３は、メモリカード２４への記録、伸張後の画像データのバッファメモリ３６への記憶などにおけるデータ入出力のタイミング管理を行うようになされている。
【００３７】
バッファメモリ３６は、メモリカード２４に対するデータの入出力の速度と、ＣＰＵ３９やＤＳＰ３３などにおける処理速度の違いを緩和するために利用される。
【００３８】
マイクロホン８は、音声情報を入力し（音声を集音し）、その音声情報をＡ／ＤおよびＤ／Ａ変換回路４２に供給するようになされている。
【００３９】
Ａ／ＤおよびＤ／Ａ変換回路４２は、マイクロホン８により検出された音声に対応するアナログ信号をデジタル信号に変換した後、そのデジタル信号をＣＰＵ３９に出力するとともに、ＣＰＵ３９より供給された音声データをアナログ化し、アナログ化した音声信号をスピーカ５に出力するようになされている。
【００４０】
測光素子１６は、被写体およびその周囲の光量を測定し、その測定結果を測光回路５１に出力するようになされている。
【００４１】
測光回路５１は、測光素子１６より供給された測光結果であるアナログ信号に対して所定の処理を施した後、デジタル信号に変換し、そのデジタル信号をＣＰＵ３９に出力するようになされている。
【００４２】
測色素子１７は、被写体およびその周囲の色温度を測定し、その測定結果を測色回路５２に出力するようになされている。
【００４３】
測色回路５２は、測色素子１７より供給された測色結果であるアナログ信号に対して所定の処理を施した後、デジタル信号に変換し、そのデジタル信号をＣＰＵ３９に出力するようになされている。
【００４４】
タイマ４５は、時計回路を内蔵し、現在の時刻に対応するデータをＣＰＵ３９に出力するようになされている。
【００４５】
絞り駆動回路５３は、絞り５４の開口径を所定の値に設定するようになされている。
【００４６】
絞り５４は、撮影レンズ３とＣＣＤ２０の間に配置され、撮影レンズ３からＣＣＤ２０に入射する光の開口を変更するようになされている。
【００４７】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態（第１の操作を行った状態）になるまで、ＣＣＤ２０の動作（例えば電子シャッタ動作）を停止させるようになされている。
【００４８】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００４９】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００５０】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００５１】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００５２】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００５３】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００５４】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００５５】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００５６】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００５７】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００５８】
さらに、ＣＰＵ３９は、ファインダ内表示回路４０を制御して、各種動作における設定などをファインダ内表示素子２６に表示させるようになされている。
【００５９】
ＣＰＵ３９は、インタフェース（Ｉ／Ｆ）４８（出力手段）を介して、所定の外部装置（図示せず）と所定のデータの授受を行うようになされている。
【００６０】
また、ＣＰＵ３９は、操作キー７からの信号を受け取り、適宜処理するようになされている。
【００６１】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００６２】
次に、本実施例の電子カメラ１の各種動作について説明する。最初に、本装置のＬＣＤ６における電子ビューファインダ動作について説明する。
【００６３】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００６４】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００６５】
また、レリーズスイッチ１０が操作された場合、ＣＰＵ３９は、ＣＣＤ２０および絞り駆動回路５３の動作を行わせる。
【００６６】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００６７】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００６８】
そして、Ａ／Ｄ変換回路３２は、その画像信号（アナログ信号）を、デジタル信号である画像データに変換し、その画像データをＤＳＰ３３に出力する。
【００６９】
ＤＳＰ３３は、その画像データをフレームメモリ３５に出力し、ＬＣＤ６にその画像データに対応する画像を表示させる。
【００７０】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００７１】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００７２】
次に、本装置による被写体の撮影について説明する。
【００７３】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００７４】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態（第２の操作を行った状態）になったとき、被写体の撮影処理を開始させる。
【００７５】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００７６】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００７７】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００７８】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００７９】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８０】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００８１】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００８２】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００８３】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００８４】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００８５】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８７】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００８８】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００８９】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００９０】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【００９１】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【００９２】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御する。
【００９３】
次に、タッチタブレット６Ａから２次元の情報（ペン入力情報）を入力する場合の動作について説明する。
【００９４】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【００９５】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【００９６】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【００９７】
なお、ユーザは、図示せぬ色選択スイッチを操作することによって、ＬＣＤ６上に表示される線画の色を、黒、白、赤、青等の色から選択することができる。
【００９８】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【００９９】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１００】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【０１０１】
このランレングス法を用いることにより、線画情報を最小に圧縮することができ、また、圧縮された線画情報を伸張した場合においても、情報の欠落を抑制することが可能になる。なお、線画情報は、その情報量が比較的少ない場合には、圧縮しないようにすることもできる。
【０１０２】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１０３】
メモリカード２４の音声記録領域、撮影画像記録領域、または線画情報記録領域にデータを記録した場合、図９に示すように、ＬＣＤ６に所定の表示が行われる。
【０１０４】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１０５】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１０６】
また、メモ記号「＊」は、線画情報として所定のメモが記録されていることを表している。
【０１０７】
サムネイル画像の表示領域の右側には、音声情報バーが表示され、録音時間の長さに対応する長さのバー（線）が表示される（音声情報が入力されていない場合は、表示されない）。
【０１０８】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１０９】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１１０】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１１１】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１１２】
Ｓモードで撮影された画像は、ＬＣＤ６上に、静止画像として表示される。この静止画像は、ＣＣＤ２０の全ての画素の画像信号を再生したものであることはいうまでもない。
【０１１３】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１１４】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１１５】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１１６】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１１７】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１１８】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１１９】
ところで、本実施の形態の電子カメラ１は、図１０に示すように外部のプリンタ１００をケーブル２００によりプリンタ接続端子１８を介して接続し、撮影した画像を記録紙に印刷することが可能である。
【０１２０】
図１１は、図１０に示すプリンタ１００の構成例を示すブロック図である。この図において、ＣＰＵ１０２は、ＲＯＭ１０３に格納されているプログラムに従って、種々の処理を行うようになされている。ＲＡＭ１０４は、ＣＰＵ１０２が所定の処理を行う場合に、演算途中のデータやプログラムなどを格納するようになされている。ＩＦ１０６は、ＣＰＵ１０２が外部の機器とデータを授受する場合に、必要に応じてデータのフォーマットを変換するようになされている。バス１０５は、ＣＰＵ１０２、ＲＯＭ１０３、ＲＡＭ１０４、および、ＩＦ１０６を相互に接続し、これらの間でデータを伝送するようになされている。
【０１２１】
ＩＦ１０６には、外部の電子カメラ１と、印刷部１０７が接続されている。
【０１２２】
印刷部１０７は、電子カメラ１から送信され、ＣＰＵ１０２により所定の処理が施された画像データを記録紙に印刷するようになされている。
【０１２３】
次に、本実施の形態の電子カメラ１に対して、プリンタ１００を接続した場合における、プリンタ１００の設定処理と、プリント処理とについて以下に説明する。
【０１２４】
図１２は、プリンタ１００の印刷モードの設定処理の一例を説明するフローチャートである。この処理は、メニューキー７Ａが押圧された場合に表示されるメニュー画面（図示せず）において、選択項目である「印刷モードの設定」が選択された場合に実行される。
【０１２５】
この処理が実行されると、電子カメラ１のＣＰＵ３９は、ステップＳ１において、図１３に示すような設定画面をＬＣＤ６に表示させる。そして、印刷モードの入力を受ける。
【０１２６】
図１３に示す表示例では、画面上端部にタイトル「モード設定」が表示されており、また、その下には、選択項目である「複数コマ１枚プリントモード」、「複数コマ合成１枚プリントモード」、および、「１コマ１枚プリントモード」が表示されている。また、それぞれの選択項目の左側には、その項目を選択する場合にチェックされるボックスが表示されている。
【０１２７】
選択項目「複数コマ１枚プリントモード」は、複数のコマ（撮影画像）を１枚の記録用紙に印刷するモードである。また、複数コマ合成１枚プリントモードは、複数のコマを重畳して１枚の画像として記録用紙に記録するモードである。更に、１コマ１枚プリントモードは、１枚の画像を１枚の記録用紙にそれぞれ印刷するモードである。
【０１２８】
ステップＳ１において、前述の３つの選択項目の何れかが選択された場合（３つのボックスの何れかがチェックされた場合）、ＣＰＵ３９は、選択されたモードを示す情報をメモリカード２４の設定情報記録領域に格納し、ステップＳ２に進む。
【０１２９】
ステップＳ２では、ＣＰＵ３９は、図１４に示すような設定画面をＬＣＤ６に表示させ、記録用紙の設定を受ける。
【０１３０】
この表示例では、タイトル「記録用紙設定」の下に、設定項目である「用紙サイズ」と「印刷方向」が表示されている。また、それぞれの設定項目の右側には、設定内容が表示されるウィンドウが配置されている。なお、このウィンドウに表示されている設定内容は、ウィンドウをペン４１で押圧することにより表示されるプルダウンメニュー（図示せず）に列記されている選択項目の中から、所望の項目をユーザが選択することにより設定することが可能である。この例では、用紙サイズとして“Ａ４”が選択されており、また、用紙方向としては“縦”が選択されている。このようにして設定された内容は、メモリカード２４の設定情報記録領域に格納される。
【０１３１】
ステップＳ２の処理が完了すると、ＣＰＵ３９は、印刷モード設定処理を終了する（エンド）。
【０１３２】
以上の処理により、プリンタ１００の印刷モードの設定を行うことができる。
【０１３３】
次に、以上の処理により設定された内容に応じて印刷を行う印刷処理について説明する。
【０１３４】
図１５は、印刷処理の一例を説明するフローチャートである。この処理は、メニューキー７Ａが押圧された場合に表示されるメニュー画面（図示せず）において、選択項目である「印刷」が選択された場合に実行される。
【０１３５】
この処理が実行されると、ステップＳ１０において、ＣＰＵ３９は、メモリカード２４に記録されている撮影画像などの記録情報を、例えば、図９に示すようにＬＣＤ６に表示させる。そして、ステップＳ１１に進む。
【０１３６】
ステップＳ１１では、ＣＰＵ３９は、印刷の対象となるサムネイル画像が選択された後、実行キー７Ｂが押圧されたか否かを判定する。その結果、サムネイル画像が選択されていないか、または、実行キー７Ｂが押圧されていない（ＮＯ）と判定した場合には、ステップＳ１１に戻り、前述の場合と同様の処理を繰り返す。また、サムネイル画像が選択された後、実行キー７Ｂが押圧された（ＹＥＳ）と判定した場合には、ステップＳ１２に進む。
【０１３７】
ステップＳ１２では、ＣＰＵ３９は、ステップＳ１１において選択されたサムネイル画像が複数であるか否かを判定する。その結果、サムネイル画像が１枚だけ選択された（ＮＯ）と判定した場合には、ステップＳ１４に進む。ステップＳ１４では、ＣＰＵ３９は、選択されたサムネイル画像に対応する撮影画像をメモリカード２４から読み出し、伸長処理を施した後、ＬＣＤ６に表示させる。そして、ステップＳ２３に進む。
【０１３８】
また、ステップＳ１２において、複数のサムネイル画像が選択されている（ＹＥＳ）と判定した場合には、ステップＳ１３に進む。ステップＳ１３では、ＣＰＵ３９は、選択されたサムネイル画像に対応する撮影画像をメモリカード２４から読み出して伸長処理を施した後、画像の枚数に応じて、各画像を縮小し（例えば、画素を間引き）、得られた画像を図１６に示すようにＬＣＤ６にマルチ一覧表示させる。図１６に示す表示例では、連続撮影された画像（日の出を撮影した画像）が、画面を９分割するように表示されている。そして、ステップＳ１５に進む。
【０１３９】
なお、図１６に示す表示例では、選択された画像が９枚であるため、画面を等分して画像を表示することが可能であるが、例えば、７枚の画像が選択された場合には、１枚の空所を含めて４×２枚ずつ表示させるか、または、２枚の空所を含めて３×３枚ずつ表示させるようにしてもよい。
【０１４０】
ステップＳ１５では、ステップＳ１３において、ＬＣＤ６にマルチ一覧表示されている撮影画像の中から所定の画像がペン４１により選択された後、実行キー７Ｂが押圧されたか否かが判定される。即ち、ＣＰＵ３９は、タッチタブレット６Ａからの出力を参照して、ＬＣＤ６に表示されている画像の中から、所定の画像が選択され、続いて、実行キー７Ｂが押圧されたか否かを判定する。その結果、所定の画像が選択されていないか、または、実行キー７Ｂが押圧されていない（ＮＯ）と判定した場合にはステップＳ１５に戻り、前述の場合と同様の処理が繰り返される。また、所定の画像が選択された後、実行キー７Ｂが押圧された（ＹＥＳ）と判定した場合には、ステップＳ１６に進む。
【０１４１】
ステップＳ１６では、ＣＰＵ３９は、ステップＳ１５において指定された画像が複数であるか否かを判定する。その結果、ステップＳ１５において指定された画像が１枚である（ＮＯ）と判定した場合には、選択された画像をメモリカード２４の所定の領域（印刷待ち画像格納領域）に格納し、ステップＳ２３に進む。また、複数の画像が選択された（ＹＥＳ）と判定した場合には、ステップＳ１７に進む。
【０１４２】
ステップＳ１７では、図１３に示す設定画面において、「複数コマ合成１枚プリントモード」（以下、合成モードと略記する）が選択されたか否かを判定する。即ち、ＣＰＵ３９は、メモリカード２４の設定情報記録領域から設定情報を読み出し、合成モードが選択されているか否かを判定する。その結果、合成モードが選択されている（ＹＥＳ）と判定した場合には、ステップＳ１９の処理に進む。また、合成モードが選択されていない（ＮＯ）と判定した場合には、ステップＳ１８の処理に進む。
【０１４３】
ステップＳ１８では、図１３の設定画面において、「複数コマ１枚プリントモード」が選択されたか否かが判定される。即ち、ＣＰＵ３９は、メモリカード２４の設定情報記録領域から設定情報を読み出し、複数コマ１枚プリントモードに設定されているか否かを判定する。その結果、複数コマ１枚プリントモードに設定されていない（ＮＯ）と判定した場合には、選択された複数の画像をメモリカード２４の印刷待ち画像格納領域に１枚ずつ別々に格納し、ステップＳ２３の処理に進む。また、複数１枚プリントモードに設定されている（ＹＥＳ）と判定した場合にはステップＳ２０に進む。
【０１４４】
ステップＳ２０では、図１４の設定画面において設定された内容が読み出される。即ち、ＣＰＵ３９は、メモリカード２４の設定情報記録領域から設定情報を読み出し、記録用紙の設定内容を取得する。そして、ステップＳ２１に進む。
【０１４５】
ステップＳ２１では、ステップＳ２０において取得した記録用紙の設定内容に応じて、ステップＳ１５において選択された画像のそれぞれに対して縮小処理（例えば、画素の間引き処理）が施される。
【０１４６】
続くステップＳ２２では、ＣＰＵ３９は、選択された画像の枚数、記録用紙のサイズ、および、記録用紙への印刷方向を参照し、縮小処理が施された画像の配置を決定する。そして、決定された配置に応じて、縮小された画像を合成し、得られた画像をメモリカード２４の印刷待ち画像格納領域に１枚の画像として格納する。
【０１４７】
ところで、ステップＳ２１，Ｓ２２の処理を実行するために、記録用紙の設定内容、選択された画像の枚数、および、印刷される画像のサイズ並びにその配置の関係を示すテーブル（図１７参照）を用意し、このテーブルに従って、各画像を適宜縮小するとともに、その配置を決定するようにしてもよい。
【０１４８】
なお、図１７に示すテーブルは、Ａ４サイズの記録用紙に縦方向に印刷する場合に対応するテーブルであり、この例では、２乃至９枚の画像を印刷する場合における１画像のサイズと、画像の配置の態様が示されている。例えば、２枚の画像を印刷する場合には、１３０ｍｍ×１９０ｍｍの画像が、記録用紙を上下に２分割するように配置される。
【０１４９】
また、このようなテーブルの内容は、ユーザが適宜変更できるようにしてもよい。
【０１５０】
図１５に戻って、ステップＳ１７の処理において、合成モードが選択されている（ＹＥＳ）と判定された場合には、ステップＳ１９に進む。ステップＳ１９では、画像の合成処理が実行される。即ち、選択された複数の画像が重畳処理されて、１枚の画像に合成される（詳細は後述する）。そして、ステップＳ２３に進む。
【０１５１】
ステップＳ２３では、ＣＰＵ３９は、メモリカード２４の印刷待ち画像格納領域に格納されている画像を読み出し、インターフェース４８を介して、プリンタ１００に出力する。なお、印刷待ち画像格納領域に複数の画像が存在する場合には、これらの画像を所定の順序で逐次プリンタ１００に対して出力する。
【０１５２】
その結果、プリンタ１００のＣＰＵ１０２は、電子カメラ１から出力された画像データを、ＩＦ１０６を介して受信し、ＲＡＭ１０４へ一旦格納した後、印刷部１０７に供給して、記録用紙に印刷させる。
【０１５３】
いま、ステップＳ１５において選択された画像が２枚であり（例えば、図１６の左上端と最下端中央の画像が選択され）、複数コマ１枚プリントモードが選択されているとすると、図１８に示すように、２枚の画像がＡ４の記録用紙を上下に２分割するように表示されることになる。
【０１５４】
また、ステップＳ１５において、図１６の左上端の画像、２段目中央の画像、最下端中央の画像、および、右下端の画像の４枚が選択されたとし、また、合成モードが選択されているとすると、図１９に示すように、選択された４枚の画像が重畳されて１枚の画像として印刷されることになる。
【０１５５】
ステップＳ２３の処理が完了すると、ＣＰＵ３９は、印刷処理を終了する（エンド）。
【０１５６】
なお、選択した画像を重畳させて１枚の画像として印刷する場合、図２０に示すように、選択された各画像の変化部分（図２０の月）の印刷濃度を段階的に異ならせるようにすることにより、各画像における変化部分一目でわかるように印刷されるようにしてもよい。
【０１５７】
また、図２１に示すように、選択された各画像の特徴部分の近くに撮影時刻等を同時に印刷することにより、各画像における変化部分の撮影時刻がわかり便利である。
【０１５８】
以上の実施の形態によれば、複数の画像を１枚の記録用紙に印刷する場合、記録用紙のサイズや印刷方向、および、印刷しようとする画像の枚数などに応じて、画像のサイズや配置を自動的に決定するようにしたので、印刷の自由度を向上させることが可能となる。
【０１５９】
なお、図１２および図１５に示す制御プログラムは、メモリカード２４に記憶されている。なお、これらのプログラムは、予めメモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【０１６０】
【発明の効果】
請求項１に記載の電子カメラ、請求項７に記載の電子カメラの制御方法、請求項８に記載の記録媒体によれば、印刷装置の印刷モードとして、複数の画像データが１枚の記録用紙に印刷される第１の印刷モード、複数の画像データが重畳されて１枚の記録用紙に印刷される第２の印刷モード、または１枚の記録用紙に１つの画像データが印刷される第３の印刷モードの３つの印刷モードのうちのいずれかを選択し、記録媒体に記録されている画像データの中から、印刷装置に出力する所望の画像データを選択し、選択された画像データが複数ある場合であって、第１の印刷モードが選択されているとき、印刷装置を設定するための設定情報を参照して複数の画像データの各々を拡大または縮小して配置し、第２の印刷モードが選択されているとき、複数の画像データを重畳して配置し、配置された複数の画像データを、印刷装置に出力するようにしたので、記録用紙の種類や印刷方向、および、印刷しようとする画像の枚数に応じて、自動的にレイアウトを行って印刷することが可能となる。
【図面の簡単な説明】
【図１】本発明を適用した電子カメラの一実施例の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】図１に示す電子カメラ１をプリンタ１００と接続した場合の様子を示す図である。
【図１１】図１０に示すプリンタ１００の構成例を示すブロック図である。
【図１２】印刷モードを設定するための処理の一例を説明するフローチャートである。
【図１３】図１２の処理を実行した場合にＬＣＤ６に表示される画面の表示例である。
【図１４】図１２の処理を実行した場合にＬＣＤ６に表示される他の画面の表示例である。
【図１５】印刷処理の一例を説明するフローチャートである。
【図１６】図１５に示す処理を実行した場合にＬＣＤ６に表示される画面の表示例である。
【図１７】図１５の処理において参照されるテーブルの一例である。
【図１８】図１５に示す処理の結果、印刷される画像の一例である。
【図１９】図１５に示す処理の結果、印刷される画像の他の一例である。
【図２０】図１５に示す処理の結果、印刷される画像の他の一例である。
【図２１】図１５に示す処理の結果、印刷される画像の他の一例である。
【符号の説明】
１  電子カメラ
２  ファインダ
３  撮影レンズ
４  発光部
５  スピーカ
６  ＬＣＤ
６Ａ  タッチタブレット（選択手段、入力手段、指定手段）
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子
１７  測色素子
２０  ＣＣＤ
２１  バッテリ
２２  コンデンサ
２３  回路基板
２４  メモリカード
２５  ＬＣＤスイッチ
２６  ファインダ内表示素子
３０  レンズ駆動回路
３１  画像処理部
３２  アナログ／デジタル変換回路
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ランプ駆動回路
３９  ＣＰＵ（配置調整手段、拡大手段、変更手段、分割表示手段）
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
【図１】
0004239041.tif 000002
【図２】
0004239041.tif 000003
【図３】
0004239041.tif 000004
【図４】
0004239041.tif 000005
【図５】
0004239041.tif 000006
【図６】
0004239041.tif 000007
【図７】
0004239041.tif 000008
【図８】
0004239041.tif 000009
【図９】
0004239041.tif 000010
【図１０】
0004239041.tif 000011
【図１１】
0004239041.tif 000012
【図１２】
0004239041.tif 000013
【図１３】
0004239041.tif 000014
【図１４】
0004239041.tif 000015
【図１５】
0004239041.tif 000016
【図１６】
0004239041.tif 000017
【図１７】
0004239041.tif 000018
【図１８】
0004239041.tif 000019
【図１９】
0004239041.tif 000020
【図２０】
0004239041.tif 000021
【図２１】
0004239041.tif 000022